(57)【要約】【課題】再送信システムにおいて、放送と通信の両方の経路を必要とせずに緊急警報放送の受信を可能にする。【解決手段】ＩＰ再送信の送信側は、デジタル放送信号に含まれる伝送制御信号から緊急警報放送用起動信号を検出して、前記検出回路が検出した緊急警報放送用起動信号に基づく緊急警報放送用起動パケットをＩＰ網に同報送信する。ゲートウェイ装置は、ネットワーク回線を介して接続されたＩＰ再送信用の受信機器のアドレスを記憶するアドレスメモリを具備し、ＩＰ再送信装置からのＩＰパケットを受信する収容局から同報送信された緊急警報放送用起動パケットを受信すると、ＩＰ再送信用の受信機器に対して起動パケットを送信する。そして、テレビジョン受信機は、ゲートウェイ装置から起動パケットを受信すると、多重分離部に、コンテンツのストリームから緊急警報放送のデコードに必要なパケットを選択させる。【選択図】  図１
2010268488.tif 000002
【特許請求の範囲】
【請求項１】
受信したデジタル放送信号を復調してコンテンツのストリームを出力する復調手段と、
前記コンテンツのストリームをＩＰパケットにパケット化してＩＰ網に送信する第１のＩＰ化回路と、
緊急警報放送用に起動させるためのＩＰパケットである緊急警報放送用起動パケットを前記ＩＰ網に同報送信する第２のＩＰ化回路とを具備したことを特徴とするＩＰ再送信装置。
【請求項２】
前記第２のＩＰ化回路は、前記第１のＩＰ化回路と共用化可能であることを特徴とする請求項１に記載のＩＰ再送信装置。
【請求項３】
受信したデジタル放送信号を復調してコンテンツのストリームを出力する復調手順と、
前記コンテンツのストリームをＩＰパケットにパケット化してＩＰ網に送信する第１のＩＰ化手順と、
緊急警報放送用に起動させるためのＩＰパケットである緊急警報放送用起動パケットを前記ＩＰ網に同報送信する第２のＩＰ化手順とを具備したことを特徴とするＩＰ再送信方法。
【発明の詳細な説明】
【技術分野】
【０００１】
本発明は、デジタル放送を受信して再送信する再送信システムに好適なＩＰ再送信装置、ＩＰ再送信方法、ゲートウェイ装置及びテレビジョン受信機に関する。
【背景技術】
【０００２】
近年、デジタル方式で送受信を行なうデジタル放送が開始されている。日本のデジタル放送では、ＩＳＤＢ−Ｔ方式が採用されている。ＩＳＤＢ−Ｔ方式においては、ＭＰＥＧ（Moving Picture Expert Group）２規格で規定されたＴＳ（トランスポートストリーム）に、誤り訂正符号化、インターリーブ符号化、デジタル変調等の信号処理が施され、更に、ＯＦＤＭ（Orthogonal Frequency Division Multiplexing）変調されて出力される。
【０００３】
ＭＰＥＧ方式は、動画像信号のフレーム間の差分を取ることにより時間方向の冗長度を低減し、更に、離散コサイン変換（ＤＣＴ）等の直交変換処理を行って周波数方向の冗長度を低減することで高能率な圧縮を可能としている。ＯＦＤＭ方式は、広域信号を互いに直交する多数の搬送波で伝送することにより、地上波テレビジョン放送において必須の伝送条件であるマルチパス伝播路における遅延干渉特性を改善できる利点を有している。
【０００４】
ＩＳＤＢ−Ｔ方式では、周波数領域ではキャリア本数１０８個のＯＦＤＭシンボルを１ブロックとし、モードに応じて１，２，４個のブロックで１セグメントを構成する。即ち、１セグメントのキャリア本数は、１０８、２１６又は４３２本である。ＩＳＤＢ−Ｔ方式では、１３セグメント分の帯域で伝送を行う。また、ＩＳＤＢ−Ｔ方式では、時間領域では、２０４個のＯＦＤＭシンボルで１フレームを構成する。そして、フレーム単位で、ＴＳの伝送やエネルギ拡散処理が行われる。また、ＩＳＤＢ−Ｔ方式では、伝送特性が異なる複数の階層を同時に伝送する階層伝送が可能である。各階層は、１つ又は複数のＯＦＤＭセグメントにより構成され、階層毎にキャリア変調方式、内符号の符号化率、時間インターリーブ長等のパラメータを指定することが可能である。
【０００５】
このような階層に関する情報やフレーム同期信号は、伝送制御信号（ＴＭＣＣ：Transmission and Multiplexing Configuration Control）によって伝送される。ＴＭＣＣは、各シンボルの１ブロック毎に挿入される。即ち、ＴＭＣＣ用に各ブロックの１キャリアが割り当てられ、１シンボル中にＢＰＳＫ変調による１ビットのＴＭＣＣ情報が含まれる。従って、各ブロックにおいて１フレーム毎に２０４ビットのＴＭＣＣ情報が伝送されることになる。
【０００６】
ＯＦＤＭフレーム中の２０４ビットのＴＭＣＣ情報のうちの１ビットが緊急警報放送用起動フラグである。デジタル放送の受信機は、ＴＭＣＣ情報からこの緊急警報放送用起動フラグを抽出することで、緊急警報放送を自動的に受信して、表示させる機能を有している。なお、緊急警報放送の受信機については特許文献１に詳述されている。
【０００７】
ところで、近年、インターネットプロトコル（ＩＰ）を用いたデジタル放送の番組配信が研究されている。デジタル放送を一旦ＩＰ再送信装置で受信し、ＩＰパケットを用いてインターネット経由で送信するＩＰ再送信についても実施化されようとしている。ＩＰ再送信においては、受信したデジタル放送をＩＰパケット化して、マルチキャストでインターネットに送信するようになっている。
【０００８】
しかしながら、ＩＰ再送信においては、ＯＦＤＭ復調後のトランスポートストリームを伝送するようになっている。ＴＭＣＣ情報はＯＦＤＭ復調時のみ必要な情報であるため、ＩＰ再送信されるデータストリームにはＴＭＣＣ情報が含まれていない。このため、ＩＰ再送信においては、緊急警報放送を自動受信する機能を受信機に設定することができない。
【０００９】
このような緊急放送を自動受信可能にする装置としては特許文献１に開示されてものが知られている。しかし特許文献１に開示されている装置は、放送と通信の両方の経路が必要であり、片方だけでは十分に機能しない。また緊急情報放送を受信するユーザ端末の登録・管理等が必要であり、緊急放送のために放送事業者等に設備や管理面で新たな投資を強いるものである。また登録されていない端末には送れないという欠点があった。
【先行技術文献】
【特許文献】
【００１０】
【特許文献１】特開２００３−３４８０３４号公報
【発明の概要】
【発明が解決しようとする課題】
【００１１】
このように、従来のＩＰ再送信システムにおいては、放送と通信の両方の経路を必要とせずに緊急警報放送の自動受信機能を設けることができないという問題があった。
【００１２】
本発明は、放送と通信の両方の経路を必要とせずに緊急警報放送の受信を可能にすることができるＩＰ再送信装置、ＩＰ再送信方法を提供することを目的とする。
【課題を解決するための手段】
【００１３】
本発明に係るＩＰ再送信装置は、受信したデジタル放送信号を復調してコンテンツのストリームを出力する復調手段と、
前記コンテンツのストリームをＩＰパケットにパケット化してＩＰ網に送信する第１のＩＰ化回路と、
緊急警報放送用に起動させるためのＩＰパケットである緊急警報放送用起動パケットを前記ＩＰ網に同報送信する第２のＩＰ化回路とを具備したことを特徴とするＩＰ再送信装置。
【発明の効果】
【００１４】
本発明によれば、ＩＰ再送信システムにおいて、放送と通信の両方の経路を必要とせずに緊急警報放送の受信を可能にすることができるという効果を有する。
【図面の簡単な説明】
【００１５】
【図１】本発明の第１の実施の形態に係るＩＰ再送信装置、ゲートウェイ装置及びテレビジョン受信機を示すブロック図。
【図２】図１中のエッジルータ２１の具体的な構成を示すブロック図。
【図３】図１中の宅内装置３０内のゲートウェイ装置３１の具体的な構成を示すブロック図。
【図４】図１中の宅内装置３０内のテレビジョン受信機３２の具体的な構成を示すブロック図。
【図５】本発明の第２の実施の形態を示すブロック図。
【図６】図５中のテレビジョン受信機３３の具体的な構成を示すブロック図。
【発明を実施するための形態】
【００１６】
以下、図面を参照して本発明の実施の形態について詳細に説明する。図１は本発明の第１の実施の形態に係るＩＰ再送信装置、ゲートウェイ装置及びテレビジョン受信機を示すブロック図である。
【００１７】
本実施の形態において、ＩＰ再送信システムは、図１に示すように、放送コンテンツの再送信を行うＩＰ再送信装置１０と収容局２０との間のデータ伝送に、ＩＰ網４０を利用することで、再送信を可能にしている。
【００１８】
ＩＰ再送信装置１０は、図示しないアンテナによって、デジタル放送局からのデジタル放送を受信する。ＩＰ再送信装置１０はデジタル放送中の各チャンネルに対応した複数の再送信部１１を有している。各再送信部１１は、相互に同一構成であり、デジタル放送復調器１２、ＴＴＳ化回路１３及びＩＰ化回路１４によって構成されている。
【００１９】
各再送信部１１内のデジタル放送復調器１２は、受信したデジタル放送を復調する。即ち、各デジタル放送復調器１２は、図示しないアンテナで受信されたＯＦＤＭ信号から所定のチャンネルをチューナによって選局し、直交検波することによって、ベースバンドのＯＦＤＭ信号を得る。各デジタル放送復調器１２は、ベースバンドのＯＦＤＭ信号からガードインターバルを除去し、ＦＦＴ（高速フーリエ変換）処理によって、時間領域のＯＦＤＭ信号を周波数領域のＯＦＤＭシンボルに変換する。
【００２０】
各デジタル放送復調器１２は、ＯＦＤＭシンボルから元のデータを復元する。例えば、ＯＦＤＭシンボルの各サブキャリアはＰＳＫ変調又はＱＡＭ変調等の変調方式によって変調されており、各デジタル放送復調器１２はこれらの変調方式に対応した復調処理によって元のデータを復元する。更に、各デジタル放送復調器１２は、復調信号に対して、送信側において施された誤り訂正処理である内符号化処理及び外符号化処理の逆処理を行って、ＯＦＤＭ信号によって伝送されたトランスポートストリームを復元する。
【００２１】
ＴＴＳ化回路１３は、デジタル放送復調器１２からのトランスポートストリームに３２ビットのタイムスタンプを付加したＴＴＳ（タイムスタンプ付きトランスポートストリーム）に変換する。このタイムスタンプは、図示しないカウンタによって所定クロックをカウントすることで生成されるものであり、カウンタの周期範囲以内では各ＴＳに一意の値が割り当てられる。ＴＴＳ化されたデータストリーム（ＴＴＳデータ）は、ＩＰ化回路１４に与えられる。
【００２２】
なお、ＴＴＳ化回路１３は必須ではなく、デジタル放送復調器１２からのトランスポートストリームをＩＰ化回路１４に与えることも可能である。またトランスポートストリーム内の映像・音声のコーデックを変換(トランスコード)する機能があっても良い。
【００２３】
ＩＰ化回路１４は、ＴＴＳを所定の個数毎にパケット化してマルチキャスト送信する。ここでは、マルチキャストされるデータは、ＲＴＰを使用してＩＰパケット化されるとする。なお、ＩＰパケットには送信元のアドレスとマルチキャストアドレスが含まれる。
【００２４】
また、各デジタル放送復調器１２のＴＭＣＣ検出回路１２ａは、ＯＦＤＭ信号から放送信号のトランスポートストリームを復元するために、ＯＦＤＭフレーム毎に挿入されているＴＭＣＣを検出する。本実施の形態においては、各デジタル放送復調器１２のＴＭＣＣ検出回路１２ａは、ＴＭＣＣ中の緊急警報放送用起動信号を抽出して、ＩＰ化回路１５に出力するようになっている。
【００２５】
ＩＰ化回路１５は、緊急警報放送用起動信号をパケット化してマルチキャスト送信する。ここでは、マルチキャストされるデータは、ＲＴＰを使用して送信されるとする。ＩＰパケットには送信元のアドレスとマルチキャストアドレスが含まれる。なお、ＩＰ化回路１５は、ＴＭＣＣ中の緊急警報放送用起動信号によって緊急警報放送が行われていることが示された場合にのみ、パケット（以下、緊急警報放送用起動パケットという）を送信するようになっている。
【００２６】
また、緊急警報放送用起動パケットに専用のマルチキャストアドレスを付加すればよく、ＩＰ化回路１５をＩＰ化回路１４と共用化することも可能である。また、ＩＰ化回路１５の送出レートは、数ｐｐｓ程度の十分に低いレートでよい。
【００２７】
ＩＰ化回路１４，１５からの送信データは、マルチキャストでＩＰ網４０に送信される。ＩＰ網４０は、インターネット等のＩＰプロトコルによる通信が可能なネットワークである。再送信を行うＩＰ再送信装置１０からのデータは、ＩＰ網４０を介して収容局２０内のエッジルータ２１に転送される。
【００２８】
収容局２０は複数の宅内装置３０にアクセス回線２５を介して接続されている。宅内装置３０はゲートウェイ装置３１及びテレビジョン受信機３２によって構成されている。図１では図面の簡略化のために１つの宅内装置３０のみを示しているが、各宅内装置３０の構成は相互に同一である。テレビジョン受信機３２は、ＩＰ再送信用の受信機器である。
【００２９】
宅内装置３０のテレビジョン受信機３２は、エッジルータ２１に対してＣＨ受信要求（マルチキャスト参加要求）を発生することができる。エッジルータ２１はＩＰ網４０から宅内装置３０への通信パケットの中継を行う。即ち、エッジルータ２１は再送信部１１からのマルチキャストデータを、ＣＨ受信要求を発したテレビジョン受信機３０に対して選択的に転送する機能を備える。
【００３０】
図２は図１中のエッジルータ２１の具体的な構成を示すブロック図である。図２において、入出力ポート５１はＩＰ網４０との間でパケットの入出力を行う。入出力ポート５１を介して入力されたパケットはルーティング処理部５２及び緊急警報放送用起動信号検出部５５３に供給される。ルーティング処理部５２は、制御部５４に制御されて、入出力ポート５１からの各パケットに指定された宛先を付して、入出力ポート５３に出力する。入出力ポート５３は、アクセス回線２５との間でパケットの入出力を行う。
【００３１】
入出力ポート５３は、アクセス回線２５からのパケットをパケット判定部５６に出力する。パケット判定部５６は、入力されたパケットがＣＨ受信要求である場合には、ＣＨ受信要求を発した宅内装置３０のアドレスを検出して、制御部５４に出力する。
【００３２】
制御部５４は、ＣＨ受信要求を発した宅内装置３０に対して、ＣＨ受信要求によって指定されたチャンネルのパケットを転送するように、ルーティング処理部５２を制御する。これにより、ＣＨ受信要求を発した宅内装置３０に対して、指定されたチャンネルのパケットが送信される。
【００３３】
本実施の形態においては、緊急警報放送用起動信号検出部５５は、ＩＰ網４０を介して転送された各パケットのうちＩＰ化回路１５からの緊急警報放送用起動パケットを検出し、緊急警報放送用起動パケットを検出すると、検出信号を制御部５４に出力する。制御部５４は、緊急警報放送用起動信号検出部５５から緊急警報放送が行われていることを示す検出信号が入力されると、緊急警報放送用起動パケットをマルチキャストで送信させるための制御信号をルーティング処理部５２に出力する。これにより、ルーティング処理部５２は、緊急警報放送用起動パケットにマルチキャストアドレスを付して入出力ポート５３を介してアクセス回線２５に送出させる。
【００３４】
なお、エッジルータ２１は、収容している全ての宅内装置３０のゲートウェイ装置３１に対して緊急警報放送用起動パケットを送信してもよく、或いは、過去にＣＨ受信要求を送信した全ゲートウェイ装置３１に対して緊急警報放送用起動パケットを送信してもよい。
【００３５】
図３は図１中の宅内装置３０内のゲートウェイ装置３１の具体的な構成を示すブロック図である。入出力ポート６１はアクセス回線２５との間でパケットの入出力を行う。入出力ポート６１を介して入力されたパケットはプロトコル変換部６２及び制御部６４に供給される。プロトコル変換部６２は、制御部６４に制御されて、入出力ポート６１からの各パケットを宅内装置３０のネットワーク回線３５に対応したプロトコルに変換し、制御部６４によって指定されたアドレスを付して入出力ポート６３に出力する。入出力ポート６３は、宅内装置３０内のネットワーク回線３５との間でパケットの入出力を行う。
【００３６】
また、プロトコル変換部６２は、制御部６４に制御されて、入出力ポート６３からの各パケットをアクセス回線２５に対応したプロトコルに変換し、制御部６４によって指定されたアドレスを付して入出力ポート６１に出力する。これにより、入出力ポート６３からのＣＨ受信要求をエッジルータ２１に送出することが可能である。
【００３７】
図１ではネットワーク回線３５には、テレビジョン受信機３２のみを接続した例を示しているが、ネットワーク回線３５には１台以上のネットワーク対応機器を接続可能である。ネットワーク回線３５に接続された機器は、制御部６４によってマック（ＭＡＣ）アドレスが読み出されるようになっている。制御部６４は各機器のマックアドレスをＭＡＣアドレスメモリ６５に与えて記憶させるようになっている。
【００３８】
本実施の形態においては、マジックパケット生成部６６は、テレビジョン受信機３２を起動させるための起動パケット（以下、マジックパケットともいう）を発生する。なお、このマジックパケットとしては、Ｗａｋｅ  ｏｎ  ＬＡＮ等の一般の仕組みを用いてもよく、システム専用のパケットを用いてもよい。制御部６４は入力ポート６３からのパケットが緊急警報放送用起動パケットである場合には、マジックパケット生成部６６からのマジックパケットをプロトコル変換部６２に与える。また、制御部６４は、マジックパケットの送信宛先を、ＭＡＣアドレスメモリ６５から読み出してプロトコル変換部６２に与える。これにより、プロトコル変換部６２は、マジックパケットを、ＭＡＣアドレスメモリ６５に格納され指定されている宛先に送信するようになっている。
【００３９】
なお、緊急警報放送を受信可能なテレビジョン受信機等がネットワーク回線３５に１台しか存在しない場合には、制御部６４はこの機器のマックアドレスをマジックパケットの送信宛先として指定する。また、ネットワーク回線３５上に緊急警報放送を受信可能な複数のテレビジョン受信機等が存在する場合には、マジックパケットの送信先は全てのテレビジョン受信機にしてもよく、或いは図示しない入力装置によって所定のテレビジョン受信機のマックアドレスをＭＡＣアドレスメモリ６５に事前に登録してもよい。また、ＭＡＣアドレスメモリ６５に登録するマックアドレスは、ＤＨＣＰプロトコルを利用して自動取得してもよく、ＣＨ受信要求を発生した機器のマックアドレスを自動取得してもよく、また、手動で設定してもよい。また、ＭＡＣアドレスメモリ６５には、マジックパケットの送信対象の機器のマックアドレスのみを登録するようにしてもよい。
【００４０】
ＭＡＣアドレスメモリ６５にマジックパケットを送信する機器を登録しておくことで、マジックパケットを指定した機器のみに送信することができ、マジックパケットによる指定した機器以外の機器への悪影響を回避することができる。
【００４１】
図４は図１中の宅内装置３０内のテレビジョン受信機３２の具体的な構成を示すブロック図である。テレビジョン受信機３２は、電源回路７５を有している。電源回路７５は、図示しないメイン電源部及びサブ電源部を有し、表示に関する電源を供給するメイン電源部オフ時（スタンバイ時）においてもサブ電源部はオン状態であり、サブ電源部は、通信部７１、マジックパケット判定部７４に電源電圧を供給することができるようになっている。
【００４２】
通信部７１はネットワーク回線３５との間でパケットの入出力を行う。通信部７１を介して入力されたパケットは多重分離部７２及びマジックパケット判定部７４に供給される。多重分離部７２に供給されるトランスポートストリームは、マルチプログラム（チャンネル）に対応しており、復号化時において時分割で伝送される複数のプログラムの中から所望のプログラムのパケットを選択することができるようになっている。この選択のために、トランスポート（ＴＳ）パケットのヘッダには、パケット識別のためのＩＤであるＰＩＤが付加されている。
【００４３】
所望の番組を構成するビデオ、オーディオ等のトランスポートパケットのＰＩＤの情報を得るために、プログラムを構成するビデオ、オーディオ等のＰＩＤのリストが記述されているテーブル情報を含むＰＭＴ（Program Map Table）パケットも多重されている。所望の番組のパケットを抽出するために、多重分離部７２は、先ず、トランスポートストリームから、ＰＩＤ＝０で識別されるＰＡＴ（Program Association Table）と呼ばれるテーブル情報を取得する。ＰＡＴには、プログラム番号に対応するＰＭＴのＰＩＤが記述されていて、多重分離部７２はこのテーブル情報を参照して所望の番組に対応するＰＭＴのＰＩＤを知り、ＰＭＴを取得する。多重分離部７２は、ＰＭＴのテーブル情報を参照して所望の番組のビデオデータ、オーディオデータのパケットを抽出して、ＡＶデコーダ７３に出力するようになっている。
【００４４】
マジックパケット判定部７４は、通信部７１からのパケットにマジックパケットが含まれている場合には、電源回路７５を制御して、メイン電源部をオンにさせるようになっている。また、多重分離部７２に供給されるＰＭＴパケット中には、緊急警報情報記述子が設けられている。マジックパケット判定部７４は、マジックパケットを検出すると、多重分離部７２にこの緊急警報情報記述子を参照させるようになっている。多重分離部７２は、緊急警報情報記述子を参照することで、緊急警報放送のパケットを抽出してＡＶデコーダ７３に出力する。即ち、テレビジョン受信機３２は、マジックパケット受信後においては、ＡＲＩＢ規格に定められている「緊急警報放送」受信時の動作を行う。
【００４５】
ＡＶデコーダ７３は、多重分離部７２から分離されたストリームをデコードして映像信号及び音声信号を出力する。これらの映像信号及び音声信号を図示しないモニタに供給することで、指定されたコンテンツの表示が可能である。
【００４６】
次に、このように構成された実施の形態の動作について説明する。
いま、宅内装置３０においてデジタル放送信号を受信していない待機状態であるものとする。この状態においても、放送を配信するエッジルータ２１まではデジタル放送のＩＰ再送信が行われる。即ち、ＩＰ再送信装置１０の各再送信部１１のデジタル放送復調器１２は、チューナによって所定のチャンネルを受信し、ＴＴＳ化回路１３はデータストリームの各ＴＳパケットに３２ビットのタイムスタンプを付加する。ＩＰ化回路１４はＴＴＳデータを、ＩＰパケットに変換して、ＩＰ網４０にマルチキャストアドレスを付加して送信する。こうして、デジタル放送の各コンテンツがＩＰ再送信される。
【００４７】
本実施の形態においては、各デジタル放送復調器１２のＴＭＣＣ検出回路１２ａは、デジタル放送信号の復調に用いるＴＭＣＣ情報から緊急警報放送用起動信号を抽出してＩＰ化回路１５に出力する。ＩＰ化回路１５は、ＴＭＣＣ検出回路１２ａによって緊急警報放送が行われていることを示す緊急警報放送用起動信号が検出されると、緊急警報放送用起動パケットをマルチキャストでＩＰ網４０に送出する。各再送信部１１からのマルチキャストデータ及びＩＰ化回路１５からのマルチキャストデータはＩＰ網４０を介して収容局２０のエッジルータ２１に供給される。
【００４８】
本実施の形態においては、エッジルータ２１は、再送信部１１からのマルチキャストデータについては、収容している各宅内装置３０からのＣＨ受信要求に応じて各宅内装置３０に配信すると共に、緊急警報放送用起動パケットについては、各宅内装置３０にマルチキャストで送信する。
【００４９】
いま、所定の宅内装置３０のテレビジョン受信機３２によってＣＨ受信要求が発生するものとする。このＣＨ受信要求は、ゲートウェイ装置３１からアクセス回線２５を介してエッジルータ２１に伝送される。エッジルータ２１は、ＣＨ受信要求を受信すると、ＣＨ受信要求を発したゲートウェイ装置３１のアドレスを宛先として、指定されたチャンネルのトランスポートストリームを、アクセス回線２５を介して送信する。ＣＨ受信要求を発したゲートウェイ装置３１は、自機宛のトランスポートストリームを受信し、受信したトランスポートストリームをテレビジョン受信機３２に出力する。こうして、テレビジョン受信機３２において、ＣＨ受信要求の対象となったチャンネルのコンテンツを視聴することができる。
【００５０】
ここで、エッジルータ２１において、緊急警報放送用起動パケットが受信されるものとする。エッジルータ２１は、緊急警報放送用起動パケットを、アクセス回線２５を介して収容している宅内装置３０にマルチキャストで配信する。
【００５１】
各宅内装置３０のゲートウェイ装置３１は、緊急警報放送用起動パケットを受信すると、マジックパケット生成部６６からのマジックパケットを、ＭＡＣアドレスメモリ６５に登録されているＭＡＣアドレスを有する機器（図１ではテレビジョン受信機３２）に出力する。
【００５２】
テレビジョン受信機３２のマジックパケット判定部７４は、通信部７１で受信したパケットがマジックパケットであるものと判定すると、電源回路７５にメイン電源部をオンにするように指示を与える。これにより、緊急警報放送時には、テレビジョン受信機３２のメイン電源部のオン，オフに拘わらず、電源回路７５によって、自動的にメイン電源部がオンとなる。また、マジックパケット判定部７４は、多重分離部７２に、ＰＭＴ中の緊急警報情報記述子を参照するように指示を与える。
【００５３】
多重分離部７２は、緊急警報情報記述子を参照して、緊急警報放送のパケットを抽出する。多重分離部７２は、抽出した緊急警報放送のパケットをＡＶデコーダ７３に出力する。ＡＶデコーダ７３は、多重分離部７２から分離された緊急警報放送のストリームをデコードして映像信号及び音声信号を出力する。こうして、図示しないモニタの表示画面上において、緊急警報放送が視聴可能となる。即ち、テレビジョン受信機３２の電源のオン，オフ、選局中のチャンネルに拘わらず、緊急警報放送が行われると、テレビジョン受信機３２においてこの緊急警報放送が表示されることになる。
【００５４】
このように本実施の形態においては、ＩＰ再送信の送信側において、ＴＭＣＣから緊急警報放送用起動信号を抽出して、緊急警報放送用起動パケットを、専用マルチキャストアドレスを付加して送信する。更に、緊急警報放送用起動パケットについてはエッジルータによって各宅内装置にマルチキャストで送信する。宅内装置は、緊急警報放送用起動パケットを受信すると、マジックパケットを発生して、テレビジョン受信機の電源をオンにすると共に、緊急警報放送のストリームを選択的にデコードさせる。これにより、ＩＰ再送信においても、緊急警報放送を自動的に受信して表示することができる。
【００５５】
上記実施の形態においては、緊急警報放送の受信開始の例について説明したが、緊急警報放送の停止時についても同様に規定することができる。上述したように、図１のＩＰ化回路１５は緊急警報が行われている場合にのみ緊急警報放送用起動パケットを送信する。従って、緊急警報放送が停止すると、緊急警報放送用起動パケットの送信も停止する。つまり、緊急警報放送が停止すると、エッジルータ２１からは緊急警報放送用起動パケットが送信されない。
【００５６】
そこで、ゲートウェイ装置３１のマジックパケット発生部６６において、緊急警報放送の受信停止のためのマジックパケット（終了パケット）も発生させ、受信していた緊急警報放送用起動パケットが受信されなくなった場合には、制御部６４によって緊急警報放送停止用のマジックパケットをテレビジョン受信機３２に送信させる。テレビジョン受信機３２においては、緊急警報放送停止用マジックパケットを受信すると、多重分離部７２によって緊急警報放送受信前のコンテンツのストリームを選択させればよい。また、緊急警報放送受信前にメイン電源部がオフであった場合には、緊急警報放送停止用マジックパケットの受信によって、電源回路７５を制御してメイン電源部をオフにしてもよい。
【００５７】
また、緊急警報放送が停止すると、ＰＭＴの緊急警報情報記述子の内容も変化する。そこで、テレビジョン受信機３２は、ＰＭＴの緊急警報情報記述子の内容に応じて、多重分離部７２及び電源回路７５を制御して、緊急警報放送前の状態に復帰させるようにしてもよい。
【００５８】
図５は本発明の第２の実施の形態を示すブロック図である。図５において図１と同一の構成要素には同一符号を付して説明を省略する。
上記実施の形態においては、緊急警報放送用起動パケットを宅内装置３０に送信することで、テレビジョン受信機３２において緊急警報放送を受信可能にした。これに対し、本実施の形態においては、緊急警報放送受信起動情報をコンテンツのストリーム中に挿入することにより、緊急警報放送を受信可能にするものである。
【００５９】
図５において、ＩＰ再送信装置１０は、図１の再送信部１１のＩＰ化回路１４に代えてＩＰ化回路１６を採用した点が第１の実施の形態と異なる。また、宅内装置３０は、テレビジョン受信機３２に代えてテレビジョン受信機３３を採用した点が第１の実施の形態と異なる。
【００６０】
ＩＰ化回路１６は、ＩＰ化回路１４と同様に、ＴＴＳ化回路１３からのデータをＩＰパケットに変換し、マルチキャストアドレスを付してＩＰ網４０に送出する。更に、ＩＰ化回路１６は、緊急警報放送用起動信号も入力され、緊急警報放送用起動信号によって緊急警報放送が行われていることが示された場合には、ＲＴＰパケットの拡張ヘッダに緊急警報放送受信起動情報を挿入するようになっている。従って、緊急警報放送が行われている場合には、各チャンネルのストリーム中のＲＴＰ拡張ヘッダに緊急警報放送受信起動情報が含まれることになる。
【００６１】
また、ＩＰ化装置１６はＲＴＰ拡張ヘッダに緊急警報放送受信起動情報だけでなく、どのデジタル放送復調器１２内で検出されたかという情報（ここではチャンネル認識子と呼ぶ）を含めることができる。複数で検出された場合には、検出された全てを入れてもよい。この場合は、各チャンネルのストリーム中のＲＴＰ拡張ヘッダに緊急警報放送受信起動情報と、どのデジタル放送復調器（チャンネル）で行われているかを示す情報（チャンネル認識子）の２つの情報が含まれることになる。なお、ＲＴＰ拡張ヘッダに含める情報は、チャンネル認識子だけでもよい。
【００６２】
図６は図５中のテレビジョン受信機３３の具体的な構成を示すブロック図である。図６において図４と同一の構成要素には同一符号を付して説明を省略する。
一方、宅内装置３０内のテレビジョン受信機３３は、多重分離部７２に代えて多重分離部７６、通信部７１に代えて通信部７７、およびマジックパケット判定部７４に代えてパケット判定部７８を採用した点が図４のテレビジョン受信機３２と異なる。テレビジョン受信機３３は、パケット判定部７８によって、マジックパケットが受信されたことが検出されると、電源回路７５のメイン電源部がオンとなる。
【００６３】
まず、ＩＰ化装置１６から送られてくるＲＴＰ拡張ヘッダに緊急警報放送受信起動情報とチャンネル認識子あるいはチャンネル認識子のみが含まれている場合の動作を説明する。パケット判定部７８は、通信部７７からのＲＴＰ拡張ヘッダに緊急警報放送受信起動情報とチャンネル認識子あるいはチャンネル認識子のみが含まれていることを検出すると、
【００６４】
通信部７７にチャンネル認識子に該当するストリームを受信するよう指示を出すと共に、多重分離部７６にＰＭＴの緊急警報情報記述子を参照するよう指示を出す。多重分離部７６は、緊急警報情報記述子を参照して緊急警報放送のパケットを抽出し、抽出した緊急警報放送のパケットをＡＶデコーダ７３に出力する。
【００６５】
なお、ＲＴＰ拡張ヘッダにチャンネル認識子が複数含まれていた場合、テレビジョン受信機３３が現在受信しているストリームに該当するチャンネル認識子があれば、ストリームの変更は行わなくてもよい。
【００６６】
また、ＲＴＰ拡張ヘッダにチャンネル認識子が複数含まれていた場合で、多重分離部７６が参照したＰＭＴの緊急警報情報記述子に含まれるａｒｉａ＿ｃｏｄｅが、テレビジョン受信機３３に設定された地域符号に該当していなければ、チャンネル認識子を変更して地域符号に該当する緊急警報放送を表示することができる。
【００６７】
次にＲＴＰ拡張ヘッダに緊急警報放送受信起動情報のみが含まれている場合の動作について説明する。パケット判定部７８は、通信部７７からのＲＴＰ拡張ヘッダに緊急警報放送受信起動情報が含まれていることを検出すると、多重分離部７６にＰＭＴの緊急警報情報記述子を参照するよう指示を出す。多重分離部７６は、緊急警報情報記述子を参照して緊急警報放送のパケットを抽出し、この抽出した緊急警報放送のパケットをＡＶデコーダ７３に出力する。
【００６８】
なお、ＲＴＰ拡張ヘッダに含まれる情報がどちらの場合でも、緊急警報放送を表示する前に、テレビジョン受信機３３の画面に緊急警報放送が行われているので変更する旨の表示を行い使用者に注意を促す、あるいは使用者の操作によって緊急警報放送に変更する、複数ある場合は選択させることも可能である。
【００６９】
このように構成された実施の形態においては、再送信側においてＩＰ化回路１５から緊急警報放送用起動パケットを送信し、受信側においてこの緊急警報放送用起動パケットに基づくマジックパケットによって、電源回路７５のメイン電源部をオンにすることは第１の実施の形態と同様である。
【００７０】
本実施の形態においては、緊急警報放送を受信するために、ＩＰ送信装置１０においては、ＩＰ化回路１６によって、ＲＴＰ拡張ヘッダに緊急警報放送受信起動情報やチャンネル認識子を挿入する。これら情報は、ＴＴＳ化されたデータストリームと共にＩＰ網４０に送信され、テレビジョン受信機３３は、ＲＴＰ拡張ヘッダからこれら情報を抽出することで、ＰＭＴの緊急警報情報記述子を参照する。これにより、放送と通信の両方の経路を必要とせずに緊急警報放送の自動受信が可能である。さらにチャンネル認識子を付け加えることにより、特定のストリームでのみ緊急警報放送を行う場合でも自動受信が可能である。
【００７１】
緊急警報放送の停止時には、ＲＴＰ拡張ヘッダから緊急警報放送受信起動情報もしくはチャンネル認識子が検出されなくなるため、パケット判定部７８によって緊急警報放送受信前のコンテンツのストリームを選択させればよい。また、緊急警報放送受信前にメイン電源部がオフであった場合には、電源回路７５を制御してメイン電源部をオフにしてもよい。
【００７２】
なお、本実施の形態においても、緊急警報放送の停止時には、ＰＭＴの緊急警報情報記述子の内容に応じて、多重分離部７６及び電源回路７５を制御して、緊急警報放送前の状態に復帰させるようにすることができる。
【００７３】
このように、本実施の形態においては第１の実施の形態と同様の効果に加えて、特定のストリームでのみ緊急警報放送を行う場合でも効果を得ることができる。
【符号の説明】
【００７４】
１０…ＩＰ再送信装置、１１…再送信部、１２…デジタル放送復調器、１３…ＴＴＳ化回路、１４…ＩＰ化回路、１５…ＩＰ化回路、１６…ＩＰ化回路、２０…収容局、２１…エッジルータ、２５…アクセス回線、３０…宅内装置３１…ゲートウェイ装置、３２…テレビジョン受信機、３５…ネットワーク回線、４０…ＩＰ網、５１…入出力ポート、５２…ルーティング処理部、５３…入出力ポート、５４…制御部、５５…緊急警報放送用起動信号検出部、５６…パケット判定部、６１…入出力ポート、６２…プロトコル変換部、６３…入出力ポート、６４…制御部、６５…ＭＡＣアドレスメモリ、６６…マジックパケット生成部、７１…通信部、７２…多重分離部、７３…ＡＶデコーダ、７４…マジックパケット判定部、７５…電源回路、７６…多重分離部、７７…通信部、７８…パケット判定部。
【図１】
2010268488.tif 000003
【図２】
2010268488.tif 000004
【図３】
2010268488.tif 000005
【図４】
2010268488.tif 000006
【図５】
2010268488.tif 000007
【図６】
2010268488.tif 000008